(57)【要約】【課題】玉房を出入させて視覚的に華やかに応援できる応援グッズを提供すること。【解決手段】玉房グッズ１は、メガホン状の外ケース３と、外ケース３内を移動可能な移動体１０と、移動体１０の一端側に装着される玉房７と、移動体の他端側に装着される紐体９とを備えている。移動体１０は２分割で開閉可能に形成する支持ケース１１を備えている。支持ケース１１は、玉房７の固着部７１を狭持する複数の狭持部材１６と、紐体９を挿通する紐支持部２０とを有して一体的に形成している。紐体９は外ケース３内で結び目９ａを形成し、外ケース３外で結び目９ｂを形成する。外ケース３を手で持って強く振ると、移動体１０が前方に移動して玉房７が外ケース３から勢い良く飛び出す。玉房７は紐体９の結び目９ｂで移動規制される。【選択図】図１
2008119385.tif 000002
【特許請求の範囲】
【請求項１】
筒状の外ケースと、該外ケース内に移動可能に配設されて房体を装着する移動体とを備える応援グッズであって、
前記外ケースは、元部に握り部を有して先端部に向かって拡径となるテーパ状に形成され、
前記移動体は、一端に前記房体を固着するとともに、他端に前記外ケースを挿通するエンドレス状の紐体を連結して構成され、
前記移動体が前記外ケースの先方に向かって移動する際は、前記房体を前記外ケースの先端部より突出させるとともに前記紐体で前記房体の突出を規制させ、前記移動体が前記外ケースの元部側に移動する際は、前記紐体を前記外ケースの元部より突出させるように構成されたことを特徴とする応援グッズ。
【請求項２】
前記移動体は、筒状に形成されるとともに、筒状の一方には前記房体を止着する第１の止着手段が配設され、筒状の他方には前記紐体を止着する第２の止着手段が配設されていることを特徴とする請求項１記載の応援グッズ。
【請求項３】
前記第１の止着手段が、前記移動体内に配設されて波状の歯部を有する複数の狭持板からなることを特徴とする請求項２記載の応援グッズ。
【請求項４】
前記第２の止着手段が、前記紐体を挿通する孔部を有して前記移動体の端部から突出する突出板であることを特徴とする請求項２記載の応援グッズ。
【請求項５】
前記第２の止着手段は、前記紐体を挿通する挿通孔部を有するとともに前記移動体に対して回動自在に形成されていることを特徴とする請求項２記載の応援グッズ。
【請求項６】
前記移動体は、軸心方向に沿って分割されるとともに、前記分割面の一端側がヒンジ部で連接され、他端側が前記ヒンジ部を中心にて開閉可能に形成されていることを特徴とする請求項１，２，３，４又は５のいずれかに記載の応援グッズ。
【請求項７】
前記移動体内には、鈴が配設されていることを特徴とする請求項１，２，３，４，５又は６のいずれかに記載の応援グッズ。
【発明の詳細な説明】
【技術分野】
【０００１】
本発明は、視覚的に雰囲気を盛り上げることができる応援グッズに関する。
【背景技術】
【０００２】
通常、スポーツ競技において、ファンは応援しているチームあるいは選手に応援グッズを用いて応援することがよく行われている。この場合、応援グッズとしては、両手を使用して叩いて音を発生したり、又二つ割に形成するとともに一方の片手で振って他方の片手で受けることによって二つの部位を叩いて音を発生したりするメガホン状のグッズ、あるいは、一対の柱状体を紐体で連結したヌンチャク状のグッズ等がよく知られている。例えば、ヌンチャク状のグッズとしては特許文献１においてよく知られている。これによれば、一対の柱状体を折畳み可能とするとともに内部を中空状に形成することによって、近隣及び他の観戦者に迷惑をかけない程度の音を出すことができ、また、持ち運びを容易に行なえるように工夫をしている。
【特許文献１】登録実用新案第３０５０１６０号公報
【発明の開示】
【発明が解決しようとする課題】
【０００３】
上記に示す従来の応援グッズは、いずれも音を発生させて応援するものであり、雰囲気を盛り上げるためには、音の発生だけでなく視覚的に盛り上げることも欠かせなかった。従来の視覚的な応援手段としては、例えば、個人名或いはチーム名を書き込んだ紙を手で持って振ったり、或いは仮面を被ったり、又はチアガールのように踊ったりすることが行われていた。
【０００４】
しかし、視覚的に楽しめて各自が道具を使用して気楽に行える応援グッズとしては、特に提供されていなかった。
【課題を解決するための手段】
【０００５】
本発明は、上述の課題を解決するものであり、華やかさをかもし出すことができるとともに簡単に製作できて誰でも使用できる応援グッズを提供することを目的とする。
【０００６】
そのために本発明にかかわる応援グッズは、以下のように構成するものである。すなわち、
請求項１記載の発明では、筒状の外ケースと、該外ケース内に移動可能に配設されて房体を装着する移動体とを備える応援グッズであって、前記外ケースは、元部に握り部を有して先端部に向かって拡径となるテーパ状に形成され、前記移動体は、一端に前記房体を固着するとともに、他端に前記外ケースを挿通するエンドレス状の紐体を連結して構成され、前記移動体が前記外ケースの先方に向かって移動する際は、前記房体を前記外ケースの先端部より突出させるとともに前記紐体で前記房体の突出を規制させ、前記移動体が前記外ケースの元部側に移動する際は、前記紐体を前記外ケースの元部より突出させるように構成されたことを特徴とするものである。
【０００７】
請求項２記載の発明では、前記移動体は、筒状に形成されるとともに、筒状の一方には前記房体を止着する第１の止着手段が配設され、筒状の他方には前記紐体を止着する第２の止着手段が配設されていることを特徴としている。
【０００８】
請求項３記載の発明では、前記第１の止着手段が、前記移動体内に配設されて波状の歯部を有する複数の狭持板からなることを特徴としている。
【０００９】
請求項４記載の発明では、前記第２の止着手段が、前記紐体を挿通する孔部を有して前記移動体の端部から突出する突出板であることを特徴としている。
【００１０】
請求項５記載の発明では、前記第２の止着手段は、前記紐体を挿通する挿通孔部を有するとともに前記移動体に対して回動自在に形成されていることを特徴としている。
【００１１】
請求項６記載の発明では、前記移動体には、軸心方向に沿って分割されるとともに、前記分割面の一端側がヒンジ部で連接され、他端側が前記ヒンジ部を中心にて開閉可能に形成されていることを特徴としている。
【００１２】
請求項７記載の発明によれば、前記移動体内には、鈴が配設されていることを特徴としている。
【発明の効果】
【００１３】
本発明によれば、外ケースの握り部を握って、前方に勢いよく外ケースを振ると、移動体は、外ケース内を移動して房体を外ケースの一端側から勢いよく飛び出すことができる。この際、エンドレス状の紐体が移動体の移動規制をすることによって、房体を外ケースから脱出することを防止している。又、移動体を外ケースの元部側に移動すると、房体は外ケース内に収納されるとともに紐体が外ケースの元部から突出する。そのため、紐体を首にかけて保持することができる。
【００１４】
従って、房体を出入させることによって華やかさを増すことができ視覚的に応援雰囲気を盛り上げることができる。また、応援グッズを振ることによって、移動体が外ケースに当ることから、音を発生することができ音だしグッズとしての効果を発揮することができる。
【００１５】
この房体は移動体に配置された第１の止着手段、例えば、軸心方向に沿って分割された移動体の内周面にそれぞれ配置された狭持板で止着される。この狭持板には先端面に波状の歯部を形成しているから、狭持板が、例えば、分割されている一対の半移動体内に一体的に配置されていれば、房体を両側面から狭持できるので、部品点数を少なくして容易に組み付けることができて廉価に製作でき、しかも波状の歯部で強固に止着することができる。
【００１６】
また、紐体は移動体配置された第２の止着手段、例えば、軸心方向に沿って分割された移動体の一端に配置された突出板で止着される。この突出板には紐体を挿通する孔が形成されているから、エンドレス状の紐体を容易に挿通することができる。エンドレス状の紐体は、移動体の外ケース先端部からの突出を規制できるように、外ケースの元部から突出していることから、移動体に止着された紐体は、移動体が外ケースから突出する際に移動体が外ケースから抜けることを防止することになる。
【００１７】
また、第２の止着手段が、紐体を挿通するとともに移動体に対して回動可能に装着されていれば、移動体自体の往復移動で移動体が外ケース内で回動することがあっても、紐体は第２の止着手段の回動を規制して、エンドレス状の紐部材自体が絡むことを防止している。
【００１８】
さらに、この発明の応援グッズは、外ケースを振ることによって移動体内に配設された鈴から、鈴音を発生することができる。従って、移動体が外ケースに当ることによって音を発生させるだけでなく、鈴音を加えることによってさらに華やかさをかもし出すことができる。
【発明を実施するための最良の形態】
【００１９】
次に、本発明の一形態の応援グッズを図面に基づいて説明する。
【００２０】
本発明の応援グッズは、筒状ケースから房体を勢いよく飛び出すことによって、華やかに応援できるメガホン型応援用玉房グッズ（以下、玉房グッズと言う。）である。図１に示すように、実施形態の玉房グッズ１は、メガホン状に形成された筒状の外ケース３と、外ケース３内を移動する移動体１０と、移動体１０の一方に装着される房体７と、移動体１０の他方に装着される紐体９とを備えている。
【００２１】
外ケース３は、樹脂製で形成されるとともに元部から先端に向かって拡径のテーパ筒状に形成されている。図２（ａ）に示すように、元部は手で握り締めることができるように膨径状部３１ａを有する握り部３１が形成されるとともに端面は底壁部３２を有して閉塞されている。また、図２（ｂ）に示すように、底壁部３２には２個の紐挿通孔３３が形成されている。さらに、外ケース３の拡径された先端部は、図１に示すように、玉房７が出入しやすいように開口されている。
【００２２】
移動体１０は、第１の形態においては、図３〜４に示すように、両端に上壁部１２、下壁部１３を有して軸心に沿って２分割に開閉可能に形成された筒状の支持ケース１１を有している。支持ケース１１は、２分割された第１の半割れケース１１Ａと第２の半割れケース１１Ｂとが一端でヒンジ部１４で連接して形成されている。第１の半割れケース１１Ａにおける半割れ状の上壁部１２Ａには、半円孔部１５Ａが形成され、第２の半割れケース１１Ｂにおける半割れ状の上壁部１２Ｂには、半円孔部１５Ｂが形成されている。第１の半割れケース１１Ａと第２の半割れケース１１Ｂとが閉じて半円孔部１５Ａと半円孔部１５Ｂが重なると玉房７の元部を挿通する挿通孔１５として形成される。
【００２３】
また、第１の半割れケース１１Ａの上壁部１２Ａ付近の内周面には、玉房７の元部を狭持するための一対の狭持板１６が軸心に沿って長尺状に形成されている。一方、第２の半割れケース１１Ｂの内周面にも同様の狭持板１６が１枚配置されている。この狭持板１６はいずれも先端部に波状の歯部１６１が形成され、図５（ａ）に示すように、第１の半割れケース１１Ａと第２の半割れケース１１Ｂとが閉じたときに、一方の半割れケース１１Ａの一対の狭持板１６の間に他方の半割れケース１１Ｂの狭持板１６が配置できるように、それぞれの半割れケース１１Ａ、１１Ｂに一体的に形成されている。なお。この狭持板１６は、図５（ｂ）に示すように、第１の半割れケース１１Ａと第２の半割れケース１１Ｂとが閉じて支持ケース１１として構成されたときに、玉房７を３等分した角度位置で狭持できるように配置してもよい。この狭持板１６は、上記の個数に限定するものではなく、例えば、２個でも４個以上であってもよい。
【００２４】
支持ケース１１の外周面には、開閉可能に分割された第１の半割れケース１１Ａと第２の半割れケース１１Ｂとを閉じたときにロックするロック部１７が形成されている。一方の半割れケース１１Ａには、軸心方向の両端において、内部に凹状爪部１８１、１８１を備えたロック凹部１８、１８が形成され、他方の半割れケース１１Ｂには、ロック凹部１８に対向する位置に凸状爪部１９１、１９１を有するロック凸部１９、１９が形成されている。
【００２５】
第１の半割れケース１１Ａの半割れ状の下壁部１３Ａには、下方に突出する突出板２０Ａが形成され、第２の半割れケース１１Ｂの半割れ状の下壁部１３Ｂには、下方に突出する突出板２０Ｂが形成されている。それぞれの突出板２０Ａ、２０Ｂには、それぞれ紐挿通孔２０１Ａ、２０１Ｂが形成されて両突出板２０Ａ、２０Ｂを重ね合わせたときに紐支持部２０として形成される。
【００２６】
なお移動体１０（支持ケース１１）は、上記の部位、例えば、狭持部１６、ロック部１７、紐支持部２０を含めて樹脂成形により一体的に形成する。
【００２７】
玉房７は、毛糸や羽毛を束ねて形成されるか、或いはビニール紐を束ねて形成されるか、さらには樹脂製で形成された紐状の棒状部材を束ねて形成され、いずれもその根元部は融着或いは紐を固く巻きつけて固定することによって固着部７１として形成されている。従って、図１に示すように、固着部７１が移動体１０に固着され、先端部が自由に広がった状態で形成されている。
【００２８】
紐体９は、図１に示すように、エンドレス状に形成された一端が、移動体１０の紐支持部２０に挿通され、外ケース３内での中間部に結び目９ａを形成して内部リング９１を形成し、さらに外ケース３の底壁部３２に形成された２個の紐挿通孔３３を通って外ケース３の外側部位の他端に結び目９ｂを形成して外部リング９２を形成している。内部リング９１を形成することによって移動体１０の外ケース３内への収納の際に移動規制され、外部リング９２を形成することによって、移動体１０の外ケース３からの飛び出しの際に移動規制される。
【００２９】
次に、玉房グッズ１を組み付けることについて説明する。図４に示すように、まず移動体１０を組み付ける。移動体１０が開いた状態において玉房７を第１の半割れケース１１Ａと第２の半割れケース１１Ｂとの間に形成される開口部内に配置する。この際、玉房７の下端部を狭持板１６の略下端部の位置に合わせる。そして、一対の半割れケース１１Ａ、１１Ｂを、ヒンジ部１４を中心にして閉じる方向に回動して、狭持板１６で玉房７を狭持する。一対の半割れケース１１Ａ、１１Ｂの合わせ面が、お互いに接近して重ね合うと、図３に示すように、ロック部１７の凸状爪部１９１が凹状爪部１８１に係合して一対の半割れケース１１Ａ、１１Ｂを結合して筒状の支持ケース１１を形成する。
【００３０】
一方、紐体９を、筒状に組み付けられた支持ケース１１の紐支持部２０（紐挿通孔２０１Ａ、２０１Ｂ）に挿通した後、結び目９ａを形成して内部リング９１を形成しておく。図６に示すように、玉房７と紐体９を装着した移動体１０を外ケース３内に収納する。その後、紐体９の結び目９ａから延設する２本の紐を外ケース紐挿通孔３３に挿通して、外ケース３外で結び目９ｂを形成して外部リング９２を形成する。この際、紐対９の結び目９ａ、９ｂの位置を、移動体１０の移動位置を確認しながら形成する。
【００３１】
このように構成された玉房グッズ１を、応援するスポーツチーム或いは選手に対して使用する場合、はじめは、図１に示すように、紐体９の結び目９ｂを外側に最大に引っ張った状態にすることで外部リング９２を外ケース３外に突出させておく。この場合、玉房７は、紐体９の結び目９ａでその移動を規制されている状態で外ケース３内に収納されている。
【００３２】
外ケース３の握り部３１を手でもって、強く振ると、図７に示すように、玉房７は、移動体１０とともに前方に移動し、外ケース３から勢いよく飛び出して、玉房７の前部を全体的に広げる。移動体１０の前方移動は、紐体９の結び目９ｂが外ケース３の底壁部３２に衝突することによって停止される。外ケース３を強く振る際、移動体１０が外ケース３の内周面に当りながら前方に移動するから、移動体１０が外ケース３に当る際に音を発生させる。この音が応援を盛り上げるひとつとなる。
【００３３】
玉房７を復帰させる場合には、紐体９の結び目９ｂを引っ張ることによって、玉房７が移動体１０とともに外ケース３内に収納される。これを繰り返すことによって、玉房グッズ１を使用した応援をすることができる。また、応援が終了したときや、応援の途中で玉房グッズ１を使用しないときには、外ケース３から被みたい９を突出させて、首に掛けておくことができる。
【００３４】
上述のように、実施形態の玉房グッズ１では、玉房７をメガホン状の外ケース３から突出させることによって、玉房７を広げて華やかさをかもし出すものであるから、応援を盛り上げることになる。しかも、玉房グッズ１を手で持って応援できることから、自ら応援できることとなって応援雰囲気を楽しむことができる。また、この玉房グッズ１は、音を出して応援することもできる。例えば、移動体１０の移動の際に音を発生させることができ、また、一方の手で外ケース３を握り他方の手に当てるように振れば音を出して応援することができる。
【００３５】
この玉房グッズ１の構成は、移動体１０を備え、移動体１０の一方に玉房７を固着して他方に玉房７の移動規制をする紐体９を連結するから、玉房７を外ケース３に対して自在に出入させることができる。しかも、移動体１０の構成を、部品点数を少なくして成形することができるから、廉価な費用で製作することができる。また、玉房７は、狭持板１６の波状の歯部１６１で強固に止着される。
【００３６】
次に、この応援グッズにおける移動体の他の形態について説明する。
【００３７】
第２の形態の移動体４０は、図８〜９に示すように、両端部に支持部材を係合して形成するものである。つまり、軸心方向に沿って開口部４１１を有する筒状の支持ケース４１と、支持ケース４１の一方の端部に係合する第１の連結具４２と他方の端部に係合する第２の連結具４３とを有している。支持ケース４１の軸方向における一方の端部には上壁部４１２が形成され、他方の端部には下壁部４１３が形成されている。上壁部４１２には第１の連結具４２が係合する係合孔４１４が形成されるとともに係合孔４１４に連接する連接溝４１５が形成されている。下壁部４１３には第２の連結具４３が係合する係合孔４１６が形成されるとともに係合孔４１６に連接する連接溝４１７が形成されている。
【００３８】
第１の連結具４２は円筒状の本体部を２分割して形成している。それぞれの分割体４２１、４２１の外周面には円周方向に溝４２２、４２２が形成されている。この溝４２２は、支持ケース４１の係合孔４１４に係合される。また、２分割されたそれぞれの分割体４２１、４２１が支持ケース４１の係合孔４１４に係合して第１の連結具４２として形成されると、第１の連結具４２に形成された挿通孔４２３に玉房７の固着部７１が挿入されて支持される。挿通孔４２３の内径は玉房７の固着部７１の外径より小さくすることによって、玉房７は、固着部７１を挿通孔４２３に押圧されて第１の連結具４２に固着される。
【００３９】
第２の連結具４３は、円柱状または円筒状の本体部４３１とリング状の紐支持部４３３とを有している。本体部４３１の中央部には溝４３２が形成され、支持ケース４１の係合孔４１６に係合される。紐支持部４３３には紐挿通孔４３４が形成されて紐体９が挿通する。
【００４０】
この移動体４０を組み付ける場合は、まず、第１の連結具４２を支持ケース４１の係合孔４１４に挿入し、第２の連結具４３を支持ケース４１の係合孔４１６に挿入する。第１の連結具４２は２分割されているため、一方の分割体４２１の溝４２２を上壁部４１２に一致させ、支持ケース４１の開口部４１１から挿入して連接溝４１５を通して係合孔４１４に係合する。一方の分割体４２１が係合孔４１４に係合した状態で、玉房７の固着部７１を分割体４２１の半円部位内に挿入する。そして、他方の分割体４２１を、前述と同様に、開口部４１１から挿入して連接溝４１５から通して係合孔４１４に係合させる。係合孔４１４には、既に一方の分割体４２１と玉房７が挿入されているため、他方の分割体４２１を係合させることによって、玉房７の固着部７１を一対の分割体４２１、４２１で締め付けることとなる。これによって玉房７は支持ケース４１に固着される。
【００４１】
続いて第２の連結具４３を支持ケース４１の下壁部４１３の係合孔４１６に係合する。第２の連結具４３には、予め紐体９を紐挿通孔４３４に挿通しておき、前述の形態と同様に結び目９ａを形成しておく。この状態で第２の連結具４３の溝４３２を下壁部４１３に一致させて、開口部４１１から挿入して連接溝４１７を通して係合孔４１６に係合させる。
【００４２】
玉房７と紐体９を装着した移動体４０を外ケース３内に挿入する作用は、前述の形態の通りである。
【００４３】
この移動体４０を収納した玉房グッズでは、第２の連結部４３は移動体４０の支持ケース４１に溝４３２で係合していることから、溝４３２と係合孔４１６との間で回動可能に装着されている。そのため、移動体４１が外ケース３に対して出入を繰り返すことによって、外ケース３に対して回動することがある。一方紐体９は、一方で第２の連結具４３に連結するとともに、他方で外ケース３の２個の紐挿通孔３３に挿通している。従って、紐体９は第２の連結具４３の回動を妨げることになる。しかし、第２の連結具４３は、支持ケース４１に対して回動可能に装着されているから、移動体４０が回転しても移動体４０（支持ケース４１）に追随しないように作用される。そのため、紐体９の内部リング９１において絡まることを防止できる。
【００４４】
また、第１の連結具４２及び第２の連結具４３とも、支持ケース４１内に組み付ける際、支持ケース４１の開口部４１１から挿入することから容易に組み付けることができて作業性を低下させない。
【００４５】
さらに、別の形態としては、図９に示すように、移動体１０を復帰する際に、移動体１０の移動を停止させるストッパー部３４を外ケース３の一部の内周面に鍔状に形成してもよい。この場合、紐体９には第１の形態で形成した結び目９ａを省略して、移動体１０の紐支持部２０を挿通した紐体９はそのまま外ケース３の紐挿通孔３３、３３に挿通する。外ケース３の外側では、結び目９ｂ（図１参照）を形成して紐帯９をエンドレス状に形成する。この形態の応援グッズでは、ストッパー部３４が可撓性を有していないから、玉房の戻りは常に一定の位置で止まることとなる。また、移動体１０とストッパー部との衝突で、音を発生させることができ、音だしグッズとして使用することができる。
【００４６】
なお、本発明の応援グッズは、上述の形態に限定するものではない。例えば、図１０に示すように、第１の形態の移動体１０における支持ケース１１の下部に、紐体９を連結する第２の形態の第２の連結具４３を装着してもよい。この際、支持ケース１１の上部には、第１の形態の狭持板１６で玉房７を固着してもよく、また、第２の形態の第１の連結具４２を装着して玉房７を固着することもできる。
【００４７】
さらに、図１１に示すように、移動体１０内に鈴４５を挿入して移動体１０を外ケース３から飛び出させる際に、鈴音を発生させることができる。この場合、鈴４５を、単に、移動体１０内に自由に移動できるように挿入するだけでもよく、また、支持ケース１１に取り付けてもよい。これによって、移動体１０が外ケース３に当ることによって音を発生させるだけでなく、鈴音を加えることによってさらに華やかさをかもし出すことができる。
【００４８】
また、玉房７の固着部７１を圧接筒体で圧設して、圧接筒体に、直接、紐体９を装着することによって、簡単な構成の移動体としてもよい。
【図面の簡単な説明】
【００４９】
【図１】本発明の一形態の玉房グッズを示す断面図である。
【図２】図１における外ケースの握り部を示す拡大図である。
【図３】図１の玉房グッズにおける第１の形態の移動体を示す組み付け斜視図である。
【図４】図３の移動体の内部構造を示す斜視図である。
【図５】図３の移動体における狭持部を示す断面図である。
【図６】図３の移動体を外ケースに組み込んだ状態の一部を示す断面図である。
【図７】図１の玉房グッズにおける玉房の飛び出した状態を示す断面図である。
【図８】第２の形態の移動体を示す分解斜視図である。
【図９】外ケースの別の形態を示す一部断面図である。
【図１０】別の形態の応援グッズを示す部分斜視図である。
【図１１】移動体内に鈴を挿入した形態を示す部分断面図である。
【符号の説明】
【００５０】
１  玉房グッズ
３  外ケース
３３  紐挿通孔
３４  ストッパー部
７  玉房
７１  固着部
９  紐体
９ａ  結び目
９ｂ  結び目
１０  移動体
１１  支持ケース
１５  挿通孔
１６  狭持板
１７  ロック部
２０  紐支持部
４０  移動体
４１  支持ケース
４２  第１の連結具
４２１  分割体
４２２  溝
４３  第２の連結具
４３１  本体部
４３２  溝
４３３  紐支持部
【図１】
2008119385.tif 000003
【図２】
2008119385.tif 000004
【図３】
2008119385.tif 000005
【図４】
2008119385.tif 000006
【図５】
2008119385.tif 000007
【図６】
2008119385.tif 000008
【図７】
2008119385.tif 000009
【図８】
2008119385.tif 000010
【図９】
2008119385.tif 000011
【図１０】
2008119385.tif 000012
【図１１】
2008119385.tif 000013